(57)【要約】【課題】  従来のホームオートメーションネットワークにおけるエレメントのグループを組み立てる方法は、長時間を要して無駄なエネルギーを消費したり、不快な信号の発信が発生するといった課題がある。【解決手段】  建造物の設備Ｄ０，Ｄ１，Ｄ２，Ｄ３，Ｄ４を制御するネットワークで繋がれたエレメントＢ０，Ｂ１，Ｂ２，Ｂ４，Ｂ４のグループを組み立てる方法であって、前記エレメントが学習モードにあるとき、前記エレメントの１つに及ぼされる第１の動作が、前記グループ（包含された−除外された）におけるメンバーシップの状態に関する質問として解釈され、且つ、該状態に関する情報信号の発信を引き起こし、前記エレメントに及ぼされる次の動作が、前記グループにおけるメンバーシップのその状態を変更するための指令として解釈可能であるように構成する。【選択図】      図３
2004320773.tif 000002
【特許請求の範囲】
【請求項１】
建造物の設備（Ｄ０，Ｄ１，Ｄ２，Ｄ３，Ｄ４）を制御するネットワークで繋がれたエレメント（Ｂ０，Ｂ１，Ｂ２，Ｂ４，Ｂ４）のグループを組み立てる方法であって、前記エレメントが学習モードにあるとき、
前記エレメントの１つに及ぼされる第１の動作が、前記グループにおけるメンバーシップの状態に関する質問として解釈され、且つ、該状態に関する情報信号の発信を引き起こし、
前記エレメントに及ぼされる次の動作が、前記グループにおけるメンバーシップのその状態を変更するための指令として解釈可能であることを特徴とするエレメントのグループを組み立てる方法。
【請求項２】
請求項１に記載のエレメントのグループを組み立てる方法において、前記エレメントは、中断（Ｔ’）の間に、前記情報信号を発信することを特徴とするエレメントのグループを組み立てる方法。
【請求項３】
請求項１または２に記載のエレメントのグループを組み立てる方法において、前記第１の動作は、前記エレメントに及ぼされる次の１つまたは複数の動作が前記エレメントによって前記グループにおけるメンバーシップのその状態を変更するための指令として解釈される間に、中断（Ｔ）を引き起こすことを特徴とするエレメントのグループを組み立てる方法。
【請求項４】
請求項１〜３のいずれか１項に記載のエレメントのグループを組み立てる方法において、前記次の１つまたは複数の動作は、前記グループにおけるメンバーシップのその状態を変更するための指令として該エレメントによって解釈され、該エレメントが前記グループにおけるメンバーシップのその状態に関する情報信号を発信する間に中断（Ｔ”）を引き起こすことを特徴とするエレメントのグループを組み立てる方法。
【請求項５】
請求項１〜４のいずれか１項に記載のエレメントのグループを組み立てる方法において、前記次の１つまたは複数の動作は、前記グループにおけるメンバーシップのその状態を変更するための指令として該エレメントによって解釈され、前記エレメントに及ぼされる前記１つまたは複数の動作が前記グループにおけるメンバーシップのその状態を変更するための指令として該エレメントによって解釈される間に中断を引き起こすことを特徴とするエレメントのグループを組み立てる方法。
【請求項６】
請求項１〜５のいずれか１項に記載のエレメントのグループを組み立てる方法において、前記エレメントに及ぼされる前記次の１つまたは複数の動作は、前記グループにおけるメンバーシップのその状態を変更するための指令として該エレメントによって解釈されずに、前記エレメントに及ぼされる第１の動作として解釈されることを特徴とするエレメントのグループを組み立てる方法。
【請求項７】
請求項１〜６のいずれか１項に記載のエレメントのグループを組み立てる方法において、エレメントに及ぼされる前記動作は、該エレメントに関するプログラム手段（ＢＰＰ０，ＢＰＰ１，ＢＰＰ２，ＢＰＰ３，ＢＰＰ４）に手動で発生されたパルスを備えることを特徴とするエレメントのグループを組み立てる方法。
【請求項８】
建造物の設備（Ｄ０，Ｄ１，Ｄ２，Ｄ３，Ｄ４）を備える装置（１）であって、
前記設備は、ネットワークで繋がれたエレメント（Ｂ０，Ｂ１，Ｂ２，Ｂ４，Ｂ４）によって制御され、
前記装置は、請求項１〜７のいずれか１項に記載の方法を実施するためのものであり、
該各エレメントは、
プログラム手段（ＢＰＰ０，ＢＰＰ１，ＢＰＰ２，ＢＰＰ３，ＢＰＰ４）と、
情報信号（Ｓ０，Ｓ１，Ｓ２，Ｓ３，Ｓ４）を発信する手段と、
学習モードにおいて配置するための命令を検出するプログラム（Ｐ１）、および、学習モードにおける配置の終了を検出するプログラム（Ｐ７）を含むメモリ（Ｍ０，Ｍ１，Ｍ２，Ｍ３，Ｍ４）と、を備え、
各エレメントの前記メモリは、プログラムする前記手段の動作、中断の管理、および、情報信号の発信を検出するためのプログラム（Ｐ２）を備えることを特徴とする装置。
【請求項９】
請求項８に記載の装置において、前記エレメントの少なくとも１つは、プログラム手段（ＢＰＰ３）、および／または、該エレメントから物理的に分離された情報信号の発信の手段（Ｓ２）を表すことを特徴とする装置。
【発明の詳細な説明】
【技術分野】
【０００１】
本発明は、建造物（building）の設備（equipment）を制御するネットワークで繋がれたエレメント（element）のグループを組み立てる方法に関する。さらに、本発明は、建造物の設備を備える装置（installation）に関し、該設備は、ネットワークで繋がれたエレメントによって制御され、該装置は、そのような方法を実施するためのものであり、該各エレメントは、プログラム手段と、情報信号を発信する手段と、学習モードにおける配置の命令を検出するプログラムおよび学習モードにおける配置の終了を検出するプログラムを含むメモリと、を備える。
【０００２】
仏国特許第２７５５２５９号明細書（特許文献１）は、ホームオートメーションネットワーク（home automation network）に属するエレメントをマッチングする方法を開示している。
【０００３】
この方法は、ネットワークを構成する様々な関連するエレメントまたは器具（appliance）を示すホームオートメーション装置によって実施されることを可能とし、且つ、締め切ったり、太陽光線から守るためにシャッターを閉めたり、点灯したり、温度調整のアラームやその他を行うための製品のような建造物の設備を制御することを可能とする。これらの様々なエレメントの間の通信は、例えば、所定のプロトコルに従った電磁波や配線手段によって引き受けられる。
【０００４】
ホームオートメーションネットワークの各エレメントは、それぞれ通信インターフェース、並びに、入力および出力（表示しない）を備え、センサによって伝えられた情報を受け取って建造物の設備にリンクされたアクチュエータを駆動するのを可能とする。
【０００５】
ネットワークの各エレメントは、ユーザの直接の動作に基づいて情報信号を発信する手段と共に、該エレメントを学習モードに切り換えることを可能とするプログラム手段も備える。プログラム手段および情報信号発信手段は、物理的にエレメントに統合されるか、或いは、離れた位置で、ワイヤまたはワイヤレスによってエレメントに接続された補助器具の近くに設けられる。特に、補助器具およびエレメントの間のリンクは、それらの間に所定の繋がりが存在しなければ、通信ネットワークの手法がもたらされるであろう。
【０００６】
情報信号を発生する手段は、例えば、ＬＥＤ（light-emitting diode）の媒介を経た光を発する信号または聞き取れる信号を発生する。情報信号を発信する手段は、制御される設備の活性化、例えば、もし設備の品目が照明装置であれば電気ランプの点灯であり、或いは、もし設備の品目が回転シャッターであれば動きを起こさせることである。
【背景技術】
【０００７】
従来技術は、グループの形式において、この形式のホームオートメーションネットワークの幾つかのエレメントを接続するのを可能とする方法、例えば、これらのエレメントが、それらの１つにより発信された命令の受け取りによる共通の仕事を実行することができることを記述している。グループにおけるメッバーシップは、例えば、１つまたは同じグループの名前の認識、或いは、共通のキーまたは共通のシードの割り当てである。
【０００８】
従来のグループを組み立てる方法が、図１を参照して述べられる。時間は、このフローチャートの上部から下部に向かって垂直に流れる。なお、ホームオートメーションネットワークは、既に、エレメントＢ０，Ｂ１およびＢ２から組み立てられたグループを備えていると仮定され、且つ、インストーラ（installer）の目的は、グループからＢ１を除外して該グループにＢ４を含めることであると仮定される。
【０００９】
第１のステップＥ１の間に、インストーラは、プッシュボタンＢＰＰから成るエレメントＢ０のプログラム手段を作動させる。この押圧は、Ａ０で参照される動作になる。この動作は、接続命令（hookup command）と呼ばれる命令ＣＭＲがネットワークに発信され、器具Ｂ０のアドレス＠Ｂ０によって伴われたステップＥ２を引き起こす。
【００１０】
ネットワークエレメントの全ての集合によって、この命令ＣＭＲの受け取りに続くステップＥ３の間に、後半はアドレス＠Ｂ０を仮に登録する学習モードに切り換わる。既にエレメントＢ０に接続されたエレメントＢ１およびＢ２は、エレメントＢ０に対するリンクアップを示す情報信号を発信する。
【００１１】
次のステップＥ４の間に、インストーラは、エレメントＢ１をプログラムするためにプッシュボタンを押圧する。この動作は、Ａ１で参照される。
【００１２】
この動作は、ステップＥ５において、エレメントＢ１とエレメントＢ０，Ｂ１およびＢ２との間の接続の存在を取り除くための命令として解釈される。この接続が除去されたとき、情報信号の発信が非活性化され、メッセージが接続の除去を知らせるためにエレメントＢ０にアドレスされるのを可能とする。
【００１３】
ステップＥ６の間に、インストーラは、エレメントＢ４をプログラムするためにプッシュボタンを押圧する。この動作は、Ａ２によって参照される。
【００１４】
ステップＥ７において、この動作は、エレメントＢ４とエレメントＢ０，Ｂ２およびＢ３との間の接続を生成するための命令として解釈される。一度、接続が生成されると、エレメントＢ０を備えるグループにおけるエレメントＢ４のメンバーシップに関する情報信号は活性化され、メッセージが接続の生成を知らせるためにエレメントＢ０にアドレスされるのを可能とする。
【００１５】
ステップＥ８において、グループ内における要求された変更が全て行われると、インストーラは、エレメントＢ０をプログラムするために再びプッシュボタンを押圧する。Ｅ３により参照されるこの動作は、グループの組み立てセッションの最後で解釈される。学習モード命令ＣＦＭＲの最後がネットワークに発信される間に、ステップＥ９を引き起こす。
【００１６】
この命令が受け取られると、ステップＥ１０の間に、全てのエレメントは学習モードを非活性化する。確立或いは除去された接続は、そのまま存続し、少なくとも次のグループの組み立てセッションまでグループを規定する。
【００１７】
【特許文献１】仏国特許第２７５５２５９号明細書
【発明の開示】
【発明が解決しようとする課題】
【００１８】
上記の方法は、欠点を有する。まず、この方法は、グループの組み立てセッションの間ずっと連続した情報信号の発信を要求するが、装置が複雑で建造物が幾つかの階層を備えていたり、ネットワークのエレメントがかなり近づき難い場合には、長時間を要することになる。従って、自主的に電力が供給されるエレメントの場合には、長期間の消費は、有害である。次に、連続する信号の発信は、信号が装置のエレメントの活性化によって発信されるときに問題となる。例えば、信号がモータのついた回転シャッターの動作の動揺であり、この信号の長期間の発信が視覚的および聴覚的に不快なものを構成するかも知れない。
【００１９】
本発明の目的は、上述した欠点を緩和し、且つ、従来の知られている方法を改良したホームオートメーションネットワークにおけるエレメントのグループを組み立てる方法を提供することにある。特に、本発明は、グループにおけるエレメントのメンバーシップまたは否メンバーシップを示すためのエネルギーの不必要な使用をでき得る限り回避し、且つ、不快な信号の発信の発生を回避するようにした方法を提案する。また、本発明は、そのような方法の実施を可能とする装置も提案する。
【課題を解決するための手段】
【００２０】
本発明に係る方法は、エレメントが学習モードにあるとき、前記エレメントの１つに及ぼされる第１の動作が、前記グループ（包含された−除外された）におけるメンバーシップの状態に関する質問として解釈され、且つ、該状態に関する情報信号の発信を引き起こし、
前記エレメントに及ぼされる次の動作が、前記グループにおけるメンバーシップのその状態を変更するための指令として解釈可能であることを特徴とするエレメントのグループを組み立てる方法である。
【００２１】
エレメントに対する動作の結果として生じる情報信号の発信は、じゅうらいの知られている方法に対比して、信号の発信が該エレメントの切り換えから学習モードへ正しくもたらされない限りにおいて、その存続期間を制限するための第１の手段である。
【００２２】
エレメントは、中断の間に、この信号情報を発信するかも知れない。これは、発信の存続期間を資源する第２の手段を構成する。
【００２３】
方法の実行の様々なモードが、従属項２〜７で規定される。
【００２４】
本発明に係る装置は、各エレメントのメモリが、プログラムする手段の動作、中断の管理、および、情報信号の発信を検出するためのプログラムを備える。
【００２５】
エレメントの少なくとも１つは、プログラム手段、および／または、該エレメントから物理的に分離された情報信号の発信の手段を表す。
【発明を実施するための最良の形態】
【００２６】
添付図面は、本発明に係る方法の実施形態を、例として、表している。
【実施例】
【００２７】
図３に描かれる装置１は、主に、建造物の設備Ｄ０，Ｄ１，Ｄ２，Ｄ３およびＤ４を制御するのを可能とするＢ０，Ｂ１，Ｂ２，Ｂ３およびＢ４で参照されるネットワークエレメントを備えている。各エレメントは、該エレメントを学習モードに切り換えるのを可能とするプッシュボタンＢＰＰ０，ＢＰＰ１，ＢＰＰ２，ＢＰＰ３およびＢＰＰ４と、情報信号Ｓ０，Ｓ１，Ｓ２，Ｓ３およびＳ４を発信する手段とを備えている。各エレメントは、特に、中断および情報信号の発信を管理するために、プッシュボタンを働かせる動作を検出するのを可能とするプログラムＰ２を示すメモリＭ０，Ｍ１，Ｍ２，Ｍ３およびＭ４も備える。
【００２８】
図２に示されるグループ組み立て方法において、エレメントＢ０，Ｂ１およびＢ２を備える最初のグループは、既に組み立てられ、装置の目的は、このグループからエレメントＢ１を除外し、且つ、当該グループへエレメントＢ４を含めることであると仮定する。
【００２９】
最初の３つのステップＥ１０〜Ｅ１２は、図１を参照して説明したステップＥ１〜Ｅ３と全く同じであり、エレメントのグループを組み立てるためのセッションを初期化するのを可能とする。
【００３０】
ネットワークの様々なエレメントは、サブプログラムＰ１、或いは、学習モードＣＭＲにおいて配置するための命令を認識可能とする機能を備え、一度学習モードに入ると、エレメントは、少なくとも、命令ＣＭＲを伴ったアドレス＠Ｂ０を暫定的に登録する。従来の知られている方法とは逆に、学習モードに入るエレメントの各々の切り換えは、エレメントの最初のグループにおけるメンバーシップまたは否メンバーシップの信号の如何なる発信も発生させない。
【００３１】
ステップＥ２０の間に、装置は、最初のグループに属するエレメントＢ１およびＢ２に対して動作Ａ１１およびＡ１３を発生させる。これらの動作は、原理的に、同時に実行されるものではない。装置は、通常、他のエレメントを処理する前にエレメントの１つを処理する。
【００３２】
エレメントＢ１に関する動作の連続は、最初に検討される。ステップＢ１／Ｅ２０の間に、動作Ａ１１は、サブプログラムＰ２の活性化を発生させる。このサブプログラムは、エレメントＢ０とエレメントＢ１との間の接続の存在をテストする。接続の存在、すなわち、グループにおけるエレメントＢ１のメンバーシップを通知した後、エレメントＢ１は、存続期間Ｔの中断を活性化し、グループにおけるそのメンバーシップを知らせる信号を発信する。この信号の発信は、図中、濃い実線で表されている。新たなステップＢ１／Ｅ２２の間に、装置は、中断Ｔが終了する前に、エレメントＢ１のプッシュボタンＢＰＰに対する動作Ａ１２を働かせる。この動作は、ステップＢ１／Ｅ２３に向けさせ、その工程でサブプログラムＰ３が活性化され、この動作をエレメントＢ１とグループとの間に存在する接続を削除するための命令として解釈する。一度接続が除去されると、すなわち、エレメントＢ１がグループから除外されると、情報信号の発信は非活性化される。メッセージは、接続の除外をエレメントＢ０に伝えるために該エレメントＢ０にアドレスされ得る。このメッセージは、グループのエレメントの全ての集合によって、すなわち、ネットワークのエレメントの全ての集合によって使用され得るものである。
【００３３】
そして、エレメントＢ１は、もはやグループの組み立てセッションの終了まで状態を変化させない。
【００３４】
ここで、エレメントＢ２に関する動作の連続が考慮される。ステップＢ２／Ｅ２１の間に、動作Ａ１３がサブプログラムＰ２の活性化を発生させる。このサブプログラムは、前述したように、エレメントＢ０とエレメントＢ２との間の接続の存在をテストする。この接続の存在、すなわち、グループにおけるエレメントＢ２のメンバーシップを通知した後、エレメントＢ２は、存続期間Ｔの中断を活性化し、グループにおけるそのメンバーシップを知らせる信号を発信する。この信号の発信は、図中、濃い実線で表されている。新たなステップＢ１／Ｅ２４の間に、中断は、装置がエレメントＢ２のプッシュボタンＢＰＰに対する如何なる動作を働かせることなく終了する。これは、情報信号の発信を終了するサブプログラムＰ４の活性化を発生させる。中断の存続期間の間に、何の動作も検出されないと、エレメントＢ２は、今までどおりグループに含まれる。そして、エレメントＢ２は、グループの組み立てセッションが終了するまで状態を変化させることはない。
【００３５】
ステップＥ３０の間に、装置は、グループのメンバーではないエレメントＢ３およびＢ４に対して動作Ａ１４およびＡ１５を発生させる。これらの動作は、原理的に、同時に実行されるものではない。装置は、通常、他のエレメントを処理する前にエレメントの１つを処理する。
【００３６】
エレメントＢ３に関する動作の連続は、最初に検討される。ステップＢ３／Ｅ３０の間に、動作Ａ１４は、サブプログラムＰ２の活性化を発生させる。このサブプログラムは、エレメントＢ０とエレメントＢ３との間の接続の存在をテストする。接続の不在、すなわち、グループにおけるエレメントＢ３の否メンバーシップを通知した後、エレメントＢ３は、存続期間Ｔ（図中、ハッチングの長方形で表される）の中断を活性化し、信号を発信するか、或いは、グループにおけるその否メンバーシップを意味する如何なる信号も発信しない。中断の間に、何の動作も検出されないと、エレメント３の状態の何の変化も実行されない。エレメント３は、グループから除外されたまま存続し、グループの組み立てセッションが終了するまで状態を変化させることはない。
【００３７】
エレメントＢ４に関する動作の連続は、最初に検討される。ステップＢ４／Ｅ３０の間に、動作Ａ１５は、サブプログラムＰ２の活性化を発生させる。このサブプログラムは、エレメントＢ０とエレメントＢ４との間の接続の存在をテストする。接続の不在、すなわち、グループにおけるエレメントＢ４の否メンバーシップを通知した後、エレメントＢ４は、存続期間Ｔの中断を活性化し、信号を発信するか、或いは、グループにおけるその否メンバーシップを意味する如何なる信号も発信しない。新たなステップＢ４／Ｅ３２の間に、装置は、中断Ｔの終了の前にエレメントＢ４のプッシュボタンＢＰＰに対する動作Ａ１６を働かせる。この動作は、ステップＢ４／Ｅ３２に向けさせ、その工程でサブプログラムＰ４が活性化され、この動作をエレメントＢ４とエレメントＢ０との間の接続を生成するための命令として解釈する。この動作は、中断も引き起こす。一度接続が生成されると、すなわち、エレメントＢ４がグループに含まれると、グループにおけるエレメントＢ４のメンバーシップに関する情報信号の発信が活性化される。メッセージは、接続の生成をエレメントＢ０に伝えるために該エレメントＢ０にアドレスされ得る。このメッセージは、グループのエレメントの全ての集合によって、すなわち、ネットワークのエレメントの全ての集合によっても使用され得るものである。
【００３８】
動作Ａ１６によって引き起こされた中断の終了は、ステップＥ３３に向けさせ、その工程でサブプログラムは以前の接続の生成が問題となる動作を発生させないことを可能とし、情報信号の発信を終了させる。エレメントＢ４は、グループに含まれ続け、グループの組み立てセッションが終了するまで状態を変化させることはない。
【００３９】
もちろん、本方法の利益は、まさに説明した４つの特別な場合の無作為のセッションによって、１つのおよび同じ組分けのセッションにおけるネットワークの様々なエレメントの状態（包含／除外）の繰り返しの変更を可能とすることである。従来技術では、学習モード命令ＣＦＭＲの終了の発信を与えるが、ここで記述した場合において、装置は、動作Ａ１７によってグループの組み立てセッションに対する終了を決定する。
【００４０】
グループの組み立てセッションの終了におい、エレメントＢ１はグループから除外され、エレメントＢ４はグループ内に統合され、エレメントＢ２はグループ内に存続し、そして、エレメントＢ３はグループの外に存続している。
【００４１】
本発明の実施は、特に、プログラム命令手段が短時間パルスのプッシュボタンまたは持続パルスのプッシュボタンのいずれの形式で使用されることによって、或いは、使用される情報信号の発信のモードによって、それ自身に多数の選択肢を持っている。
【００４２】
図４は、本方法を実行するためのグループの組み立てセッションの間に起こる動作を伴った３つの選択肢を描いている。時間は、この図において、左から右に水平に流れている。
【００４３】
プログラム手段が短時間パルスのプッシュボタンの場合、ボタンの各パルス（押す／放す）は、１つの動作と見做される。図４において、これらの動作は、Ａ１０１〜Ａ１０６およびＡ２０１〜Ａ２０６で参照される狭い白の長方形で表されている。
【００４４】
プログラム手段が持続パルスを与えるプッシュボタンの場合、ボタンの押圧は第１の動作（例えば、Ａ３０１）と見做され、ボタンの解放は第２の動作（例えば、Ａ３０２）と見做される。キーの押圧の存続期間は、白の長方形により描かれている。
【００４５】
第１の選択肢は、図４の最初の２つのラインで表されている。プログラム手段は、短時間パルスを有するプッシュボタンである。第１のラインは、プッシュボタンＢＰＰに対する動作が起こったとき、既にグループのメンバーであったエレメントの場合に対応する。動作Ａ１０１は、ハッチングされた長方形で表された中断Ｔの引き起し、および、暗い灰色の長方形で表された情報信号の活性化を発生させる。中断Ｔの間に、新たな動作が検出されなければ、情報信号の発信は停止する。そして、エレメントは、グループの一部を構成し続ける。
【００４６】
動作Ａ１０２は、その状態について再度エレメントに『質問する』。再び、中断Ｔおよび情報信号の発信は活性化される。しかしながら、このとき、新たな動作Ａ１０３は、中断が終了する前に起こる。そして、この動作は、グループから除外するための命令として解釈され、グループにおけるエレメントのメンバーシップに関する情報信号は非活性化される。この場合、中断Ｔも非活性化することができ、それが好ましい。しかしながら、動作Ａ１０３は、それが終了する前に起こることを明確に示すために、動作している期間として表される。
【００４７】
従って、第２のラインは、プッシュボタンＢＰＰに対する動作が起こったとき、グループのメンバーではないエレメントの場合に対応する。動作Ａ１０４は、中断Ｔの引き起しを発生させるが、如何なる信号の発信も発生させない。中断の間に、何の動作も引き起こされず、エレメントは、グループの外に存在し続ける。動作Ａ１０５は、再び中断Ｔの引き起しを発生させる。このとき、動作Ａ１０６が、中断が終了する前に起こる。そして、この動作は、グループのエレメントを加入するための命令として解釈される。接続がエレメントとグループとの間に生成され、この生成、或いは、グループにおけるこのメンバーシップを証明する信号が活性化される。そして、好ましくは、中断Ｔは非活性化され、新たな中断Ｔ’が活性化される。従って、エレメントは、動作Ａ１０１の後に現れる状態に相当する状態における動作Ａ１０６の後、自分自身を見つけ出すことになる。
【００４８】
第３および第４のラインは、短い情報信号の発信によって特徴づけられた第２の選択肢に関係しており、特に、またさらに消費されるエネルギーを保存するために、或いは、信号がアクチュエータによる設備の項目の置き換えから成るとき、長々しい動作を排除するためのものである。このとき、信号を確立するための中断Ｔ’と、器具が状態の指令の変化を『聞き取るのに存続する』中断Ｔとの間には区別すべき特徴がある。
【００４９】
動作Ａ２０１は、既にグループのメンバーであるエレメントに与えられる。従って、存続期間Ｔ’のための合図と、Ｔ’よりも長い存続期間Ｔのための『聞き取り』が存在する。聞き取りの存続期間のために何の動作も与えられないと、エレメントは、グループにおけるメンバーシップのその状態を維持する。
【００５０】
動作Ａ２０２があると、エレメントは、再び、存続期間Ｔ’で情報信号を発信する。このとき、動作Ａ２０３が聞き取り存続期間Ｔにおいて起こる。この動作は、除外命令として解釈され、グループにエレメントを追加するのを可能とする通信接続は、削除される。
【００５１】
動作Ａ２０４およびＡ２０５に従って、グループのメンバーではないエレメントは、何の情報信号も発信しない。続く動作Ａ２０６は、聞き取りの中断Ｔの間に起こり、グループにエレメントを追加する命令として解釈される。この動作Ａ２０６は、通信接続の学習を発生させ、且つ、情報信号が発信される間に新たな中断Ｔ’を発生させる。
【００５２】
好ましい方法において、動作Ａ２０６の後の状態が動作Ａ２０１の後の状態に一致するような手法で、以前の中断Ｔは非活性化され、新たな中断Ｔ’が活性化される。
【００５３】
第３の選択肢は、最後の２つのラインに描かれている。これは、もちろん、従来技術に比較して非常に短いパルスが存続する『長々しい』情報信号の発信の場合に戻って、持続パルスを与えるプッシュボタンのようなプログラム手段を使用する場合に関係する。
【００５４】
動作Ａ３０１は、既にグループのメンバーであるエレメントに与えられる。この動作は、中断Ｔの引き起し、および、グループにおけるエレメントのメンバーシップを証明する信号の活性化を発生させる。中断時間（動作Ａ３０２）の間に、プッシュボタンが解放されると、この動作は、メンバーシップの確認として解釈される。信号の発信は、この動作に従った中断Ｔ”の活性化によって延長され得ることを可能とする。
【００５５】
一方、同じメンバーシップの最初の状態において、もし、動作Ａ３０３が時間Ｔを越えて延長されるならば、信号は停止し、動作Ａ３０４は除外命令として解釈される。
【００５６】
ここで、動作Ａ３０５がグループの一部を構成しないエレメントに与えられる。その動作は、中断Ｔを発生させるが、信号の活性化は発生させない。中断の終了前に生じるキーの解放（動作Ａ３０６）は、エレメントの除外の状態の確認として解釈される。この除外状態から始まって、動作Ａ３０７は、再び存続期間Ｔの中断の『聞き取り』を発生する。この存続期間を越えて、動作Ａ３０８の解放は付着した命令として解釈される。
【００５７】
中断の間の解放は、エレメントの状態の変更の指令と見做され、また、中断を超えた解放は、エレメントの状態の維持の指令と見做され得る。
【００５８】
好ましい変形として、条件は、状態を変化させて中断Ｔを越えてここで発生されるか、さもなければ、この中断が終了すると直ちにグループにおけるメンバーシップの信号が活性化されるようにする。
【００５９】
また、Ｔ’が終了すると直ちに、新たな中断Ｔを引き起こすことも好ましい。もし、延長の方法においてキーが押し続けられると、付着の状態から除外の状態に交互に切り換えることとなり、また同様に、除外の状態から付着の状態に交互に切り換えることとなる。しかしながら、それは、結局、メンバーシップまたは除外信号の発信の間にキーが解放されるかどうかに依存して、グループにおけるメンバーシップの最後の状態を規定するキーが解放されるときである。この選択肢によれば、信号は、キーが押し続けられる長さと同じ各中断の後に変更されるだけであり、状態の如何なる変化は、キーを解放したときにだけ登録される。
【００６０】
最後に、操作する上での人間工学は、或る情報信号がグループにおけるエレメントのメンバーシップを示すのを可能とし、且つ、他の情報信号がグループにおけるエレメントの非メンバーシップを示すのを可能とする信号の発信を向上させるであろう。例えば、ＬＥＤは、グループにおけるメンバーシップを証明するために緑色の光を表示し、且つ、グループからの除外を示すために、中断時にオレンジ色の光を表示する。
【００６１】
簡略化のために、マスターエレメントのアドレスのグループでの各エレメントによる学習によってグループの組み立てだけが記載されたが、本発明は、使用されるグループの組み立て方法に依存するものではない。
【００６２】
本特許出願において、『動作（action）』なる用語は、広い意味に解釈されなければならない。特に、中断の存続期間のための動作の不在は、エレメントによって、グループにおけるメンバーシップのその状態を変更するための指令として解釈されるべき『動作』を構成するであろう。
【図面の簡単な説明】
【００６３】
【図１】知られている従来のグループの組み立て方法を示すタイムチャートである。
【図２】本発明に係るグループの組み立て方法の遂行形態を示すタイムチャートである。
【図３】本発明に係る方法の実施を可能とする装置を示す図である。
【図４】本発明に係る方法の実行を可能とする様々な選択肢を描く時間的なグラフの一続きを示す図である。
【符号の説明】
【００６４】
１…装置
Ｂ０，Ｂ１，Ｂ２，Ｂ３，Ｂ４…エレメント
ＢＰＰ０，ＢＰＰ１，ＢＰＰ２，ＢＰＰ３，ＢＰＰ４…プッシュボタン
ＣＦＭＲ…学習モード命令
ＣＭＲ…接続命令
Ｄ０，Ｄ１，Ｄ２，Ｄ３，Ｄ４…設備
Ｍ０，Ｍ１，Ｍ２，Ｍ３，Ｍ４…メモリ
Ｓ０，Ｓ１，Ｓ２，Ｓ３，Ｓ４…情報信号
【図１】
2004320773.tif 000003
【図２】
2004320773.tif 000004
【図３】
2004320773.tif 000005
【図４】
2004320773.tif 000006